(57)【要約】【課題】  プレイリストを他情報記録再生装置等にコピーする場合には、プレイリストファイルを開き、そのプレイリストに記述されたファイルが何処に記録されているかを１ファイルずつ調べ、個々にファイルを指定してコピーする必要があり時間がかかる。【解決手段】  整数個の動画像及び音声ファイルを各々ファイルの先頭または途中より繋ぎ合わせて再生するための情報を記述したプレイリストファイルを作成し、プレイリストファイルに含まれる動画像、音声ファイル及びプレイリストファイルのショートカットを作成し、同一フォルダにショートカットを記録する。【選択図】        図４
2006185543.tif 000002
【特許請求の範囲】
【請求項１】
整数個の動画像及び音声ファイルを各々ファイルの先頭または途中より繋ぎ合わせて再生するための情報を記述したプレイリストファイルを作成し、前記プレイリストファイルに含まれる動画像、音声ファイル及びプレイリストファイルのショートカットを作成し、同一フォルダに前記ショートカットを記録することを特徴とする情報記録再生方法。
【請求項２】
整数個の動画像及び音声ファイルを各々ファイルの先頭または途中より繋ぎ合わせて再生するための情報を記述したプレイリストファイルを作成する手段と、前記プレイリストファイルに含まれる動画像、音声ファイル及びプレイリストファイルのショートカットを作成し、同一フォルダに前記ショートカットを記録する手段とを備えたことを特徴とする情報記録再生装置。
【発明の詳細な説明】
【技術分野】
【０００１】
本発明は、デジタル画像及び音声データを記録又は再生する情報記録再生方法及び装置に関するものである。
【背景技術】
【０００２】
従来、ランダムアクセス可能な情報記録媒体において、オリジナルのデジタル画像及び音声データを変えることなく、複数のデジタル画像及び音声データファイルの再生順序や各ファイル内の再生個所を記述したプレイリストを用いることで、意図した映像を作成している。
【０００３】
他記録再生装置またはＰＣ（パーソナルコンピュータ）に作成したプレイリストをコピーする場合には、作成したプレイリストファイルとそのプレイリストファイル内に記述されたデジタル画像及び音声データをコピーしている。
【０００４】
しかしながら、デジタル画像及び音声データは必ずしも同一フォルダに記録されている訳ではない。ファイル数やデータの種類によって別フォルダに記録される。従って、プレイリストをコピーする場合には、プレイリストファイルを読み、その中に記述されたファイルを一つずつ探す必要がある。これに関連する技術としては、例えば、特開２００４−１７２８８７号公報等がある（特許文献１）。
【特許文献１】特開２００４−１７２８８７号公報
【発明の開示】
【発明が解決しようとする課題】
【０００５】
従来の技術では、プレイリストを他記録再生装置等にコピーする場合には、プレイリストファイルを開き、そのプレイリストに記述されたファイルが何処に記録されているかを１ファイルずつ調べ、個々にファイルを指定してコピーする必要があった。そのため、プレイリスト内に記述されたファイル数が多ければ非常に多くの処理が必要となってしまう。このようにプレイリストをコピーするのに１ファイルずつファイルの場所を探し、コピーするため時間がかかるという課題があった。
【０００６】
本発明の目的は、時間を必要とすることなく容易にプレイリストをコピーすることが可能な情報記録再生方法及び装置を提供することにある。
【課題を解決するための手段】
【０００７】
本発明は、上記目的を達成するため、整数個の動画像及び音声ファイルを各々ファイルの先頭または途中より繋ぎ合わせて再生するための情報を記述したプレイリストファイルを作成し、前記プレイリストファイルに含まれる動画像、音声ファイル及びプレイリストファイルのショートカットを作成し、同一フォルダに前記ショートカットを記録することを特徴とする。
【０００８】
また、本発明は、整数個の動画像及び音声ファイルを各々ファイルの先頭または途中より繋ぎ合わせて再生するための情報を記述したプレイリストファイルを作成する手段と、前記プレイリストファイルに含まれる動画像、音声ファイル及びプレイリストファイルのショートカットを作成し、同一フォルダに前記ショートカットを記録する手段とを備えたことを特徴とする。
【０００９】
本発明においては、プレイリストファイル及びそのプレイリストに含まれるファイルのショートカットファイルを同一フォルダに記録し、他情報記録再生装置やＰＣ等にコピーする場合には、そのフォルダをコピーする。
【発明の効果】
【００１０】
本発明によれば、外部装置とのデジタル通信時にショートカットファイルの記録されたフォルダをコピーすることにより、容易にプレイリストファイル及びショートカットに含まれる動画像及び音声ファイルをコピーすることができる。
【発明を実施するための最良の形態】
【００１１】
次に、発明を実施するための最良の形態について図面を参照して詳細に説明する。図１は本発明に係る情報記録再生装置の一実施形態を示すブロック図である。図中、１０１は入力端子、１０２はメモリ、１０３は光ディスク等のランダムアクセスが可能な情報記録媒体である。また、１０４はバス、１０５は画像及び音声符号化復号化器（Ｃｏｄｅｃ）、１０６はＣＰＵ、１０７はコマンド入力端子、１０８はデジタルインターフェース端子である。
【００１２】
入力端子１０１から入力されたデジタル画像及び音声データは、バス１０４を介してメモリ１０２に記憶される。メモリ１０２に記憶されたデジタル画像及び音声データは、ＣＰＵ１０６の指示により画像及び音声符号化複号化器１０５で圧縮データに符号化され、メモリ１０２に記憶される。メモリ１０２に記憶された圧縮データはＣＰＵ１０６の指示によりバス１０４を介して情報記録媒体１０３に記録される。情報記録媒体１０３にデータを記録又は再生するための光ヘッド等については省略している。
【００１３】
情報記録媒体１０３には圧縮データばかりでなく、情報記録媒体１０３の内部構成を管理する管理情報ファイルもＣＰＵ１０６によって作成され、記録される。管理情報ファイルには、情報記録媒体１０３におけるフォルダ情報があり、圧縮ファイルがどのフォルダ下に記録されているかが記述されている。更に、記録された全圧縮ファイルの記録開始アドレスやファイルのデータ量が書かれている。
【００１４】
図２は圧縮データの記録構造図を示す。圧縮データは図２のような構造であり、フォルダ下に記録される。フォルダは決められたファイル数もしくはファイルの種類によって変わっていく。図２（ａ）は管理情報であり、ファイル名、記録開始アドレス、データ量が記述されている。図２（ｂ）はファイル自体を表し、左下に書かれた値が記録開始アドレスである。
【００１５】
更に、図３（ａ）はプレイリストの構成図であり、図３（ｂ）はプレイリストファイルの記述例を示す。プレイリストファイルとは周知のように複数の画像及び音声ファイルを繋ぎ合わせるための情報を記述したファイルである（図５参照）。
【００１６】
図１に戻ってプレイリストファイルの作成時の処理を説明する。まず、プレイリストファイル作成のため、コマンド入力端子１０７より指定された動画像及び音声ファイル各々の開始位置や再生時間の分かるプレイリスト情報がＣＰＵ１０６に入力される。ＣＰＵ１０６はプレイリストファイルを作成し、情報記録媒体１０３にプレイリストファイルを記録する。次いで、ＣＰＵ１０６は新たにフォルダを作成し、そのフォルダにプレイリストファイルのショートカット及びプレイリストファイル内に記述された画像及び音声データのショートカットを記述する。
【００１７】
図４はプレイリスト作成時のＣＰＵ１０６の処理を示すフローチャートである。図４を用いてプレイリスト作成におけるＣＰＵ１０６の処理を説明する。まず、図４の処理がスタートすると、上述のようにＣＰＵ１０６はプレイリストファイルを作成する（Ｓ４０１）。次いで、ＣＰＵ１０６は新規にフォルダを作成する（Ｓ４０２）。次に、そのプレイリストに含まれるファイル数（Ｎ）を算出し、Ｓ４０２で作成したフォルダ内にプレイリストファイルを作成する（Ｓ４０３）。
【００１８】
また、カウンタＣを初期値である０とする（Ｓ４０４）。カウンタＣはショートカットファイルの作成数をカウントするカウンタである。
【００１９】
次に、プレイリストに含まれるファイル数ＮとカウンタＣの大きさを比較する（Ｓ４０５）。最初はカウンタＣは０であるのでＳ４０６に進み、プレイリストファイルに含まれるファイルのショートカットファイルを作成し、カウンタＣをインクリメントしてＳ４０５に戻る。ファイル数ＮがカウンタＣの値より大きい時は同様にプレイリストファイルに含まれるファイルのショートカットファイルを作成し、カウンタＣをインクリメントする（Ｓ４０６）。
【００２０】
一方、Ｓ４０５でファイル数ＮがカウンタＣと等しくなると、全てのファイルのショートカットファイルを作成したので処理を終了する（Ｓ４０７）。以上のようにショートカットファイルを作成する。
【００２１】
図５（ａ）及び図５（ｂ）はデータ構造図である。図５（ａ）はプレイリスト作成前であり、プレイリストファイルを作成すると図５（ｂ）のようにリンクファイルとして記録される。また、図６はショートカットファイル内の記述例を示す。図６に示すように指し示すファイルがどこにあるかを記述してある。
【００２２】
次に、図１に戻ってプレイリストを他記録再生装置またはＰＣ等にコピーするときの動作を説明する。まず、デジタルインターフェース端子１０８を介して他記録再生装置と接続するとデータのコピーが可能である。コマンド入力端子１０７よりＣＰＵ１０６にコピーするデータが指定され、ＣＰＵ１０６は情報記録媒体１０３内のアドレスを指定してデータを読み出し、バス１０４を介してデジタルインターフェース端子１０８から他記録再生装置へと送信する。
【００２３】
通常のファイルをコピーする場合には、図２（ａ）の管理情報ファイルから情報記録媒体１０３上のアドレスとデータ量を読み取り、図２（ｂ）の指定されたファイルを読み出す。
【００２４】
図７は情報記録媒体１０３のデータ領域を表す図である。内周部に管理情報を記録する管理情報記録領域が設けられ、外周部に画像及び音声等のデータを記録するデータ記録領域が設けられている。
【００２５】
次に、プレイリストのコピーが指定された場合の処理について説明する。図８はプレイリストコピー時におけるＣＰＵ１０６の処理を示すフローチャートである。この図を用いてプレイリストコピー時におけるＣＰＵ１０６の処理を説明する。まず、プレイリストのコピーを開始すると（Ｓ８０１）、ショートカットファイルがあるフォルダのファイル数（Ｎ）を算出する（Ｓ８０２）。
【００２６】
次いで、カウンタＣを初期値である０とする（Ｓ８０３）。カウンタＣはプレイリストファイルのコピー回数をカウントする。次に、プレイリストに含まれるファイル数ＮとカウンタＣの大きさを比較する（Ｓ８０４）。最初はカウンタＣは０であるのでＳ８０５に進み、プレイリストファイルをコピーし、カウンタＣをインクリメントし、Ｓ８０４に戻る。ファイル数ＮがカウンタＣの値より大きい時は同様にプレイリストファイルをコピーし、カウンタＣをインクリメントする（Ｓ８０５）。
【００２７】
一方、Ｓ８０４でファイル数ＮとカウンタＣの値が等しくなると、フォルダ内の全てのプレイリストファイルをコピーしたので処理を終了する（Ｓ８０６）。以上のようにショートカットファイルをコピーする。
【００２８】
また、ショートカットをコピーすることにより実データをコピーする様になっているシステムにおいて、情報記録媒体１０３のデータを図５（ｃ）のように表示する。これは、ＣＰＵ１０６によりショートカットファイルを読み込み、元ファイルデータを表示する。
【００２９】
以上の説明のように、本実施形態では、プレイリストファイルを他記録再生装置やＰＣ等にコピーする場合には、プレイリストファイルを開き、関連ファイルは複数フォルダを開くことで探すのではなく、1つのフォルダを開くことで全ての関連ファイルを探すことができる。
【図面の簡単な説明】
【００３０】
【図１】本発明の一実施形態を示すブロック図である。
【図２】圧縮データの構造図である。
【図３】プレイリストの構成及び記述例を示す図である。
【図４】プレイリスト作成時のフローチャートである。
【図５】プレイリスト作成前後のデータ構造図である。
【図６】ショートカットファイル内の記述例を示す図である。
【図７】情報記録媒体のデータ領域を示す図である。
【図８】プレイリストコピー時のフローチャートである。
【符号の説明】
【００３１】
１０１  入力端子
１０２  メモリ
１０３  情報記録媒体
１０４  バス
１０５  画像及び音声符号化復号化器（Ｃｏｄｅｃ）
１０６  ＣＰＵ
１０７  コマンド入力端子
１０８  デジタルインターフェース端子
【図１】
2006185543.tif 000003
【図２】
2006185543.tif 000004
【図３】
2006185543.tif 000005
【図４】
2006185543.tif 000006
【図５】
2006185543.tif 000007
【図６】
2006185543.tif 000008
【図７】
2006185543.tif 000009
【図８】
2006185543.tif 000010